(57)【要約】【課題】遊技盤面と並行に水平移動して液晶表示装置等を開閉する扉等の一対の開閉部材の下部、又は上部を支持して開閉駆動する場合における閉止時に、各開閉部材の対向し合う内側端縁が逆八字状、又は八字状に傾いて開放し、外観を悪化させたり、背後にあるディスプレイを完全に隠蔽できなくする不具合を解消する。【解決手段】駆動機構Ｍによって下部、又は上部を支持された各開閉部材５０、６０が開閉移動する過程で、各開閉部材の下部の方が上部よりも先行して各方向へ移動するように構成され、駆動機構は、各開閉部材の内側端縁５０ａ、６０ａ同士が離間している時には各内側端縁を八字状、又は逆八字状の非平行状態に保持し、各開閉部材が閉止方向へ移動する過程では当初各内側端縁の上端部（下端部）同士が接触し、更に閉止方向へ移動する接近過程の最後に内側端縁同士が垂直な姿勢で全長に渡って接触するように各開閉部材の下部、又は上部を支持した。【選択図】図９
2012228363.tif 000002
【特許請求の範囲】
【請求項１】
上下方向へ直線状に延びる内側端縁を対向させた状態でガイド部材によってガイドされつつ前記各内側端縁を接触させた閉止位置と離間させた開放位置との間を略水平方向へ進退する一対の開閉部材と、前記各開閉部材の下部、又は上部を支持して互いに接近する閉止方向と、離間する開放方向へ開閉移動させる駆動機構と、備え、
前記駆動機構によって下部、又は上部を支持された前記各開閉部材が開閉移動する過程で、前記駆動機構によって支持された被支持部の方が支持されていない非支持部よりも先行して各方向へ移動するように構成されたパチンコ遊技機であって、
前記駆動機構は、前記各開閉部材の内側端縁同士が離間している時には各内側端縁を八字状、又は逆八字状の非平行状態に保持し、各開閉部材が閉止方向へ移動する過程では当初各内側端縁の非支持部側端部同士が接触し、更に閉止方向へ移動する接近過程の最後には内側端縁同士が垂直な姿勢で全長に渡って接触するように前記各開閉部材の下部、又は上部を支持することを特徴とするパチンコ遊技機。
【請求項２】
上下方向へ直線状に延びる内側端縁を対向させた状態でガイド部材によってガイドされつつ前記各内側端縁を接触させた閉止位置と離間させた開放位置との間を略水平方向へ進退する一対の開閉部材と、前記各開閉部材の下部を支持して互いに接近する閉止方向と、離間する開放方向へ開閉移動させる駆動機構と、備え、
前記駆動機構によって下部を支持された前記各開閉部材が開閉移動する過程で、各開閉部材の下部の方が上部よりも先行して各方向へ移動するように構成されたパチンコ遊技機であって、
前記駆動機構は、前記各開閉部材の内側端縁同士が離間している時には各内側端縁を八字状の非平行状態に保持し、各開閉部材が閉止方向へ移動する過程では当初各内側端縁の上端部同士が接触し、更に閉止方向へ移動する接近過程の最後に内側端縁同士が垂直な姿勢で全長に渡って接触するように前記各開閉部材の下部を支持することを特徴とするパチンコ遊技機。
【請求項３】
前記駆動機構は、モータにより回転駆動されるピニオンギヤと、該ピニオンギヤを間に挟んで噛合しつつ平行、且つ水平に配置された２つのラックギヤ部材と、を備え、
前記各ラックギヤ部材に夫々設けた突片を前記各開閉部材下部、又は上部の対応する位置に設けた長穴に嵌合させた上で螺子止めするように構成されており、
前記各突片と、前記各長穴の少なくとも一方の傾斜角度を非水平とすることにより、前記各内側端縁を八字状、又は逆八字状に保持したことを特徴とする請求項１に記載のパチンコ遊技機。
【発明の詳細な説明】
【技術分野】
【０００１】
本発明は、例えば遊技盤上を横方向にスライドして液晶画面を開閉する扉等の２つの開閉部材を備えたパチンコ遊技機において、各開閉部材の下部を支持して開閉駆動する場合に、各開閉部材が全閉止位置にあるときに対向し合う内側端縁間に逆八字状の隙間が形成される不具合を解消することができるパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤面上に設けた液晶表示装置の表示面を開閉する障子や扉の開閉部材を盤面と略平行な方向へ開閉、出没動作させることによって遊技進行上特徴的な演出効果を発揮させるようにした可動盤面部品が提案されている。
【０００３】
図１１（ａ）は従来例における２枚の開閉部材及び各開閉部材を水平方向へ開閉動作させるための駆動機構の正面図であり、（ｂ）はその背面図であり、図１２は駆動機構の構成を示す斜視図であり、図１３（ａ）（ｂ）及び（ｃ）は開放状態にある開閉部材が閉止するまでの過程を示す正面図であり、図１４（ａ）及び（ｂ）は開閉部材の開放状態、及び閉止状態を示す斜視図である。
駆動機構１１０としては、ラックアンドピニオン機構が使用されており、遊技盤面と平行に開閉動作する各開閉部材１００、１０５の下部に夫々設けた張出し片１０１、１０６に固定した水平方向に延びる樹脂製ラックギヤ１１１、１１５に対して樹脂製ピニオンギヤ１２０を噛合させておき、モータＭからの駆動力によってピニオンギヤ１２０を回転させることにより開閉部材１００、１０５を水平方向へ進退させる。このタイプの駆動機構においては、各ラックギヤ１１１、１１５は遊技機本体側に水平に支持された金属シャフト１１２、１１６により水平方向へガイドされている。即ち、各ラックギヤ１１１、１１５の内部には軸方向へ貫通する穴（凹所）が形成されており、各穴内に金属シャフト１１２、１１６を挿通した構成となっている。
【０００４】
各張出し片１０１、１０６と各ラックギヤ１１１、１１５との固定は、各張出し片に設けた螺子穴１０１ａ、１０６ａを各ラックギヤに設けた図示しない螺子穴と連通させた状態での螺子締結により行われる。そして、水平方向へ延びる各ラックギヤ１１１、１１５に対して各開閉片の内側端縁１００ａ、１０５ａが直交する（垂直）姿勢となるように組付けが行われる。
図１２に示すように、開閉部材１００、１０５は対向する内側端縁１００ａ、１０５ａが直線状であり、組付け時には各内側端縁が垂直な姿勢となるように各ラックギヤ１１１、１１５に固定されている。そして、閉止状態では図１１中に示したように内側端縁１００ａ、１０５ａ同士が密着しているのが理想的な外観である。
しかし、各開閉部材下部に固定した各ラックギヤに形成した穴を金属シャフト１１２、１１６によって軸方向へ進退自在に支持しただけの構造であるため、仮に上部をガイドレールによって水平方向へ滑動自在に支持したとしても、開閉部材と上下のガイド部材とのガタや寸法誤差等に起因して開閉部材が左右方向へがたつきを起こし、駆動側である下部を中心として上部が左右に揺動し易くなる（図１２）。
【０００５】
即ち、他の周辺部品との関係によるレイアウト上の制限等の理由によって開閉部材の下方に駆動機構１１０を配置する場合には、各ラックギヤ１１１、１１５と金属シャフト１１２、１１６との間に備わった上記のがたつきに起因して開閉動作中の各開閉部材が下部を中心として左右に傾き易い。つまり、各開閉部材の下部に固定したラックギヤ１１１、１１５をピニオンギヤ１２０によって駆動しているため、閉止状態にある開閉部材を夫々開放方向へ移動させる際と、開放状態にある開閉部材を閉止方向へ移動させる際に、夫々各開閉部材の下部が上部に先行して移動する傾向があり、その結果、開放時、及び閉止時に両開閉部材の対向し合う内側端縁が垂直姿勢とならない（図１３、図１４）。
つまり、各内側端縁は、開放状態では図１３（ａ）、図１４（ａ）に示した如き八字状となり、図１３（ｂ）に示した中間状態を経て、図１３（ｃ）、図１４（ｂ）に示した閉止状態では逆八字状になるという問題があった。内側端縁の傾斜角度が僅かである場合には、開放過程、及び開放完了状態では各内側端縁が垂直姿勢にないことは外観上判明しにくいが、閉止状態で各内側端縁が垂直姿勢にない場合には内側端縁間に逆八字状の隙間が形成されていることが外観上明確に判るため問題となっていた。特に、開閉部材の背面に位置する液晶表示装置の画面の映像が内側端縁間の逆八字状の隙間から見えてしまう場合には、遊技の興趣を損なう虞がある。
【０００６】
従来からこのような不具合に対処するために、各開閉部材の内側端縁に沿って夫々磁石（或いは、磁石と鉄）を対向配置し、閉止した時に両者が吸着するように構成することにより、内側端縁同士を全長に渡って密着させる対策が行われている。しかし、磁石による吸着力の調整が難しく、吸着力が僅かでも強すぎると開放時に開閉部材を離間させるのに要する駆動力が増大する不具合がある。特に、開閉部材の駆動用にステップモータを使用する場合に、磁石によって吸着された開閉部材を開放させようとすると、ステップモータにかかる負荷が増大してステップ数にずれを起こしてソフトによる制御に狂いが発生する虞がある。
また例えば閉止状態にある開閉部材の内側端縁間を僅かに離間させたリーチ待ち状態に移行させておき、リーチがかかった際に直ちに開放させるように制御することがあるが、磁石があるとその吸引力によって内側端縁間を僅かに離間させた状態に保持し続けることが難しくなる。このため、磁石を用いた対策は敬遠される傾向にある。
【０００７】
なお、開閉部材を閉止させる際に内側端縁同士が密着しなくなる不具合は、開閉部材の上方に駆動機構を配置する場合にも同様に発生し得ることである。即ち、各開閉部材の上部に夫々ラックギヤを固定し、各ラックギヤをモータにより駆動されるピニオンギヤによって左右に進退させるように構成した場合には、開閉部材の下部よりも上部が先行して開放方向、閉止方向へ夫々移動する。このため、両開閉部材の閉止時には図１３、図１４とは逆に両内側端縁が八字状に開放し易くなる。ただ、各開閉部材の上部を駆動機構により吊り下げた状態となっているため、各開閉部材が自重によって内側へ姿勢を修正し易い状態にあり、八字状の隙間は図１３、図１４の場合ほど顕著とはならない。しかし、閉止位置にある各開閉部材の内側端縁間に隙間が形成され易くなるという点では、開閉部材の下部を駆動する場合と変わりはない。
【先行技術文献】
【特許文献】
【０００８】
【特許文献１】特開２０１０−０２２６４３公報
【発明の概要】
【発明が解決しようとする課題】
【０００９】
以上のように、遊技盤面と並行に水平移動して液晶表示装置等を開閉する開閉部材の下部を支持して駆動する場合には、開放状態にある各開閉部材を閉止方向へ移動させる際に各開閉部材の下部が上部に先行して内側に移動する傾向があり、その結果、両開閉部材の対向し合う内側端縁が垂直姿勢で密着できず、逆八字状に傾いた閉止姿勢になるという問題があった。
また、開閉部材の上部を駆動機構によって支持して進退させる構造を採用した場合にも閉止位置にある各開閉部材の内側端縁間に隙間が形成され易くなるという不具合が発生する。
本発明は上記に鑑みてなされたものであり、遊技盤面と並行に水平移動して液晶表示装置等を開閉する扉等の一対の開閉部材の下部、又は上部の何れか一方を支持して開閉駆動する場合における閉止時に、各開閉部材の対向し合う内側端縁が逆八字状、又は八字状に傾いて開放し、外観を悪化させたり、背後にあるディスプレイを完全に隠蔽できなくする不具合を解消することができるパチンコ遊技機を提供するものである。
【課題を解決するための手段】
【００１０】
上記目的を達成するため、請求項１の発明に係るパチンコ遊技機は、上下方向へ直線状に延びる内側端縁を対向させた状態でガイド部材によってガイドされつつ前記各内側端縁を接触させた閉止位置と離間させた開放位置との間を略水平方向へ進退する一対の開閉部材と、前記各開閉部材の下部、又は上部を支持して互いに接近する閉止方向と、離間する開放方向へ開閉移動させる駆動機構と、備え、前記駆動機構によって下部、又は上部を支持された前記各開閉部材が開閉移動する過程で、前記駆動機構によって支持された被支持部の方が支持されていない非支持部よりも先行して各方向へ移動するように構成されたパチンコ遊技機であって、前記駆動機構は、前記各開閉部材の内側端縁同士が離間している時には各内側端縁を八字状、又は逆八字状の非平行状態に保持し、各開閉部材が閉止方向へ移動する過程では当初各内側端縁の非支持部側端部同士が接触し、更に閉止方向へ移動する接近過程の最後には内側端縁同士が垂直な姿勢で全長に渡って接触するように前記各開閉部材の下部、又は上部を支持することを特徴とする。
これによれば、開閉部材の閉止完了時に、部品間のガタに起因して各開閉部材の対向し合う内側端縁が逆八字状、又は八字状に傾いて開放した状態となり、外観を悪化させたり、背後にあるディスプレイを完全に隠蔽できなくする不具合を解消することができる。
【００１１】
請求項２の発明は、上下方向へ直線状に延びる内側端縁を対向させた状態でガイド部材によってガイドされつつ前記各内側端縁を接触させた閉止位置と離間させた開放位置との間を略水平方向へ進退する一対の開閉部材と、前記各開閉部材の下部を支持して互いに接近する閉止方向と、離間する開放方向へ開閉移動させる駆動機構と、備え、前記駆動機構によって下部を支持された前記各開閉部材が開閉移動する過程で、各開閉部材の下部の方が上部よりも先行して各方向へ移動するように構成されたパチンコ遊技機であって、前記駆動機構は、前記各開閉部材の内側端縁同士が離間している時には各内側端縁を八字状の非平行状態に保持し、各開閉部材が閉止方向へ移動する過程では当初各内側端縁の上端部同士が接触し、更に閉止方向へ移動する接近過程の最後に内側端縁同士が垂直な姿勢で全長に渡って接触するように前記各開閉部材の下部を支持することを特徴とする。
【００１２】
請求項３の発明は、前記駆動機構は、モータにより回転駆動されるピニオンギヤと、該ピニオンギヤを間に挟んで噛合しつつ平行、且つ水平に配置された２つのラックギヤ部材と、を備え、前記各ラックギヤ部材に夫々設けた突片を前記各開閉部材下部、又は上部の対応する位置に設けた長穴に嵌合させた上で螺子止めするように構成されており、前記各突片と、前記各長穴の少なくとも一方の傾斜角度を非水平とすることにより、前記各内側端縁を八字状、又は逆八字状に保持したことを特徴とする。
【発明の効果】
【００１３】
本発明によれば、液晶表示装置等の前面にて開閉する扉等の一対の開閉部材を開閉駆動する場合における閉止完了時に、各開閉部材の対向し合う内側端縁が逆八字状、又は八字状に傾いて開放した状態となり、外観を悪化させる不具合を解消することができる。
【図面の簡単な説明】
【００１４】
【図１】本発明に係る可動盤面部品を搭載したパチンコ遊技機の正面図である。
【図２】（ａ）及び（ｂ）は本発明の一実施形態に係る可動盤面部品の正面図、及びＡ−Ａ断面図である。
【図３】本発明の可動盤面部品の背面図である。
【図４】本発明の可動盤面部品の開閉部材閉止時の正面側斜視図である。
【図５】本発明の可動盤面部品の開閉部材開放時の正面側斜視図である。
【図６】本可動盤面部品の分解斜視図である。
【図７】各開閉部材と各ラックギヤ部材との組み付け状態を示す分解斜視図である。
【図８】他例に係る各開閉部材と各ラックギヤ部材との組み付け状態を示す分解斜視図である。
【図９】（ａ）（ｂ）及び（ｃ）は本発明による開閉部材の開閉動作を示す正面図である。
【図１０】開閉部材の閉止手順を説明する模式図である。
【図１１】（ａ）は従来例における２枚の開閉部材及び各開閉部材を水平方向へ開閉動作させるための駆動機構の正面図であり、（ｂ）はその背面図である。
【図１２】駆動機構の構成を示す斜視図である。
【図１３】（ａ）（ｂ）及び（ｃ）は開放状態にある開閉部材が閉止するまでの過程を示す正面図である。
【図１４】（ａ）及び（ｂ）は開閉部材の開放状態、及び閉止状態を示す斜視図である。
【発明を実施するための形態】
【００１５】
以下、本発明を図面に示した実施の形態により詳細に説明する。
図１は本発明に係る可動盤面部品を搭載したパチンコ遊技機の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は図示しない特別図柄画像が表示される。
【００１６】
また、いわゆる特別遊技状態の時は、特別遊技状態であることを示す演出画像等が表示される。本例では、図柄表示装置６の前方に仮面を象った２枚の開閉部材５０、６０が横方向へ開閉自在に配置されている。開閉部材は本発明の特徴をなす可動盤面部品３０を構成している。
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
【００１７】
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
ゲート１２を遊技球が通過したことを条件に乱数制御により普通図柄が所定態様となった場合に、可変入賞装置に設けられた電動式チューリップから成る可動片を所定時間、開成動作するように構成されている。
また、図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１８】
図２（ａ）及び（ｂ）は本発明の一実施形態に係る可動盤面部品の正面図、及びＡ−Ａ断面図であり、図３は可動盤面部品の背面図であり、図４は本発明の可動盤面部品の開閉部材閉止時の正面側斜視図であり、図５は開閉部材開放時の正面側斜視図であり、図６はこの可動盤面部品の分解斜視図であり、図７は各開閉部材と各ラックギヤ部材との組み付け状態を示す分解斜視図であり、図８は他例に係る各開閉部材と各ラックギヤ部材との組み付け状態を示す分解斜視図であり、図９（ａ）（ｂ）及び（ｃ）は本発明による開閉部材の開閉動作を示す正面図であり、図１０は開閉部材の閉止手順を説明する模式図である。
本発明に係るパチンコ遊技機における可動盤面部品３０は、上下方向へ直線状に延びる内側端縁５０ａ、６０ａを対向させた状態で上部ガイド部（上ガイドレール＝ガイド部材）３２、及び下部ガイド部（下ガイドレール＝ガイド部材）４０によって夫々上部と下部を（スライド自在に）ガイドされつつ各内側端縁を接触させた閉止位置と離間させた開放位置との間を略水平方向へ進退する一対の開閉部材５０、６０と、下部ガイド部側に設けられて各開閉部材の下部（被支持部）を支持して互いに接近する閉止方向と、離間する開放方向へ開閉移動させる駆動機構Ｍと、備え、駆動機構Ｍによって下部（被支持部）を支持された各開閉部材が開閉移動する過程で、各開閉部材の下部（被支持部）の方が上部（非支持部）よりも先行して各方向へ移動するように構成されている。そして、駆動機構Ｍは、各開閉部材の内側端縁同士が離間している時には各内側端縁を八字状の非平行状態に保持し、各開閉部材が閉止位置に移動する過程では当初各内側端縁の上端部同士が接触し、更に閉止方向へ移動する接近過程の最後に内側端縁同士が垂直な姿勢で全長に渡って接触するように各開閉部材の下部を支持、駆動するように構成されている。
【００１９】
以下、本発明の可動盤面部品について更に詳細に説明する。
図２等に示すように可動盤面部品３０は、遊技盤１に固定されるベース部材３１と、ベース部材３１に設けた上部ガイド部（上ガイドレール）３２、及び下部ガイド部（下ガイドレール）４０によって夫々上部と下部をガイドされつつ水平方向へ移動する仮面を象った左右一対の開閉部材５０、６０と、各開閉部材５０、６０の下部に夫々水平に固定されたラックギヤ部材５１、６１と、各ラックギヤ部材５１、６１と噛合して回転することにより各ラックギヤ部材を水平方向へ進退させるピニオンギヤ７０と、ピニオンギヤを駆動するモータ７１と、を備える。本例では、開閉部材５０側のラックギヤ部材５１はその下部にラックギヤ５１ａを有し、開閉部材６０側のラックギヤ部材６１はその上部にラックギヤ６１ａを有する。
開閉部材５０、６０の内側端縁５０ａ、６０ａは上下方向へ直線状に延びており、図１のように各開閉部材が閉止位置にある時には、各内側端縁が垂直な姿勢となり、且つ全長に渡って接触することによって隙間を形成しないように構成されている。即ち、各開閉部材が離間しているために内側端縁同士が接触していない時には、各内側端縁が八字状（上端部が下端部よりも内側に位置する状態）に傾斜した状態となるように駆動機構Ｍ（各ラックギヤ部材５１、６１）によって各開閉部材５０、６０を内側に傾斜させた姿勢で予め支持する。更に、上部ガイド部３２、及び下部ガイド部４０と各開閉部材５０、６０との間に必然的に形成されるガタを利用して、両開閉部材の内側端面同士を圧接させた時に各開閉部材の姿勢が矯正されて内側端面同士が全長に渡って密着するように構成することによって、従来のように閉止時に各内側端縁が逆八字状に開いた状態となることを防止している。
【００２０】
図２（ｂ）に示すように、上部ガイド部（上ガイドレール）３２は、水平方向へ延びる金属板材３３から構成されており、略垂直な縦板部３３ａと、縦板部３３ａの下端部から前方に水平に延びる細幅帯状の庇片３３ｂと、庇片３３ｂの先端縁から下方へ屈曲する細幅帯状の垂下片３３ｃとからなる断面クランク状である。
金属板材３３の縦板部３３ａは、ベース部材３１の略垂直な基片３１ａに対して螺子３４により締結固定されており、更に基片３１ａの下端部からＬ字状に水平片３１ｂと垂下片３１ｃが突設されている。金属板材３３の庇片３３ｂはその下面の一部をベース部材の水平片３１ｂにより支持されており、金属板材の垂下片３３ｃはベース部材の垂下片３１ｃとの間に所定のギャップＧを保って離間配置されている。
各開閉部材５０、６０の上端面には、突条としての被ガイドレール５５、６５が略全長に渡って突出形成されており、被ガイドレール５５、６５の平坦な前面及び背面には夫々適宜のピッチで半球状の軸受部５５ａ、６５ａが突設されている。各被ガイドレール５５、６５は、金属板材の垂下片３３ｃとベース部材の垂下片３１ｃとの間に形成されるギャップＧ内に嵌合され、各軸受部５５ａ、６５ａを垂下片３３ｃの背面と、垂下片３１ｃの前面に夫々摺動的に接触している。被ガイドレール５５、６５は、軸受部５５ａ、６５ａを介してギャップＧの内壁と圧接しているため水平方向へ移動することができる。
【００２１】
次に、図２乃至図６等に示すように、下部ガイド部４０は、水平方向へ延びるガイドレール４１、４２を備えており、各ラックギヤ部材５１、６１は、各ガイドレール４１、４２によって水平方向へ進退自在に支持されている。例えば、各ガイドレール４１、４２に設けたガイド用の凹所内に、各ラックギヤ５１、６１に設けた図示しない突起状の被ガイド部を嵌合して水平方向へスライド自在、且つ脱落不能に支持するように構成する。
開閉部材５０、６０を開閉動作させるための駆動機構Ｍは、ピニオンギヤ７０と、これを駆動するモータ７１と、モータからの駆動力をピニオンギヤ７０に伝達する中間ギヤ群７２と、モータを制御する図示しない制御手段と、を備えている。
各開閉部材５０、６０の下部には夫々張出し片５２、６２が下方へ向けて張り出しており、各張出し片５２、６２の下部には夫々ラックギヤ部材５１、６１が固定されている。各張出し片５２、６２と各ラックギヤ部材５１、６１との固定は単なる螺子７５による締結であってもよいが、本例では張出し片５２、６２に形成した長穴５２ａ、６２ａ内に、各ラックギヤ部材５１、６１から前方へ突設した横長（薄肉板状）の突片５４、６４を嵌合させた状態で、螺子７５により各張出し片５２、６２と各ラックギヤ部材５１、６１とを締結している。螺子７５は、各張出し片に形成した螺子穴５２ｂ、６２ｂと、各ラックギヤ部材に形成した図示しない螺子穴内に螺着される。
【００２２】
このように各開閉部材５０、６０の上部を上部ガイド部（上ガイドレール）３２によって水平方向へ進退自在に支持し、且つ各開閉部材の下部に固定した各ラックギヤ部材５１、６１を各ガイドレール４１、４２によって水平方向へ進退自在に支持した場合であっても、各部品間にガタが発生する。即ち、各開閉部材をスムーズに進退させるためには、各ガイドレールと各ラックギヤ部材５１、６１との間に遊びが求められるが、この遊びに起因して各開閉部材は下部を中心として左右方向へ揺動し易くなる。従って、モータ７１によって駆動されたピニオンギヤ７０によって各ラックギヤ部材５１、６１を開閉駆動する際には、各開閉部材５０、６０の下側が上側よりも先行して移動することとなる。このため駆動機構に開閉部材を組み付ける際に、従来のように内側端縁同士が非接触状態にある時に内側端縁が垂直な姿勢を保持するように組み付けると、左右方向へのガタに起因して開閉部材を閉止位置に移動したときに内側端縁同士が密着できずに逆八字状の隙間が形成されることとなる。
【００２３】
このような不具合に対処するために本発明では、各開閉部材が離間しているために各内側端縁が接触していない時に、各内側端縁が八字状に傾斜した状態となるように駆動機構Ｍによって各開閉部材５０、６０を予め支持することによって、従来のように閉止時に各内側端縁が逆八字状に開いた状態となることを防止している。
具体的には、本例では、図７に示したように、各内側端縁５０ａ、６０ａが八字状に傾斜するように、各張出し片５２、６２に設けた長穴５２ａ、６２ａと、各ラックギヤ部材５１、６１に設けた突片５４、６４を水平方向（各ラックギヤ部材の長手方向）に対して角度θだけ傾斜させている。本例ではラックギヤ部材５１、６１に夫々設けた突片５４、６４の内側が角度θだけ下向き傾斜するように構成する一方で、張出し片５２、６２の対応する位置に設けた長穴５２ａ、６２ａも同様に内側が角度θだけ下向き傾斜するように構成している。このため、各突片５４、６４を各長穴５２ａ、６２ａ内に嵌合させることにより、各開閉部材の内側端縁を八字状に傾斜させた状態で組み付けることができる。各内側端縁５０ａ、６０ａは垂直方向に対して角度θだけ内側に傾斜した状態となっている。
或いは、図８に示すように、各突片５４、６４を各ラックギヤ部材の長手方向（水平方向）と平行に構成する一方で、各長穴５２ａ、６２ａをその内側が角度θだけ上向き傾斜するように構成してもよい。
【００２４】
図７、図８の各実施形態に示すように、各突片５４、６４と、各長穴５２ａ、６２ａの少なくとも一方の傾斜角度を非水平とすることにより、各内側端縁を八字状に保持することができる。このため、各ラックギヤ部材に対する各開閉部材の角度を常に一定に保持することができる。
或いは、突片と長穴との係合構造を用いずに、２つの螺子穴５２ｂの上下位置、及び２つの螺子穴６２ｂの上下位置をずらすことにより、各ラックギヤ部材に対する各開閉部材の角度を傾斜させるようにしてもよい。
このように各開閉部材５０、６０の下部を各ラックギヤ部材５１、６１に対して、内側端縁が内側に八字状に傾斜するように組み付ける場合の内側端縁の傾斜角度は、開放状態にあった両開閉部材が接近して接触する過程で上端部（非支持部側端部）同士が先行して接触するように設定する。
【００２５】
次に、以上のような構成を備えた可動盤面部品３０における開閉部材５０、６０の開閉動作について図９、図１０に基づいて説明する。
各ラックギヤ部材５１、６１に対して、内側端縁上部が内側に突出するように（八字状に）傾斜して各開閉部材５０、６０を組み付けた結果として、図９（ａ）に示したように各開閉部材が全開した状態と、モータＭの駆動によって図１０中に破線Ｉで示したように各開閉部材が夫々内側に途中まで移動した段階では、各内側端縁５０ａ、６０ａが接触していないため、各内側端縁は図示のように八字状に傾いている。しかし、このように開閉部材が大きく離間した状態では、内側端縁が若干傾斜していても外観上さほど違和感はない。
（ａ）の開放状態から両開閉部材が接近を開始して続けて、図９（ｂ）、及び図１０中の鎖線ＩＩに示したように各内側端縁５０ａ、６０ａの上端部同士が接触した段階では、両内側端縁間には八字状の隙間Ｓが形成されているが、更にモータＭを閉止方向へ駆動することにより図９（ｃ）、及び図１０中の鎖線ＩＩＩに示したように内側端縁同士が垂直な姿勢で全長に渡って接触した状態となり、隙間Ｓが解消される。
【００２６】
このようにモータを閉止方向へ駆動して、全開状態にある両開閉部材を等距離ずつ同タイミングで接近方向へ移動させて閉止させる過程において、図９（ｂ）のように内側端縁の上端部同士が接触した時点で停止させずに、更に内側端縁が全長に渡って接触するまで接近させるように制御すれば、各ラックギヤ部材５１、６１と、これをスライド自在に支持するガイドレール（ガイド部材）４１、４２との間のガタを利用して各開閉部材は内側端縁の未接触部分が接触状態となるまで姿勢を変化させることができるため、最後には図９（ｃ）に示したように内側端縁同士が密着した状態に移行することができる。
以上のように本発明によれば、開放状態にあった各開閉部材を全閉位置に移動させる際に、各開閉部材の対向し合う内側端縁が逆八字状に傾いて接触して内側端縁間に隙間を形成することを防止できるので、外観を悪化させたり、背後にあるディスプレイを完全に隠蔽できなくする不具合を解消することができる。
【００２７】
なお、上記実施形態では、各開閉部材の下部を駆動機構によって支持して進退させる構成例を中心として説明したが、開閉部材の上部を駆動機構によって支持して進退させる場合にも開閉部材を予め所定方向へ傾斜させた構成を採用することによって閉止時に内側端縁間に隙間が形成されることを防止できる。
即ち、開閉部材の上部（被支持部）を駆動機構によって支持する場合には、上記実施形態とは逆に各開閉部材の上部に夫々設けた図示しない張出し片に各ラックギヤ部材を固定する際に、各開閉部材の内側端縁が逆八字状になるように組み付ける。つまり、開閉部材の内側端縁が垂直となるように各ラックギヤ部材に組み付けた場合には、各開閉部材の上部を支持して進退させる場合には開閉部材の上部（被支持部）が下部（非支持部）に先行して開放方向、及び閉止方向へ移動する結果として、閉止位置において各内側端縁が八字状に開放する。そこで、本実施形態では予め各内側端縁が逆八字状になるように各ラックギヤに対して各開閉部材を組み付けておくことにより、各開閉部材が開放位置から閉止位置に移行する際に内側端縁の下端部同士が先行して接触し、その後開閉部材上部が内側へ移動する過程で内側端縁が全長に渡って接触するように構成されている。
また、閉止状態にある開閉部材の内側端縁間を僅かに離間させたリーチ待ち状態に移行させておき、リーチがかかった際に直ちに開放させるように制御する場合にも、制御が容易となる。
【符号の説明】
【００２８】
１…遊技盤、１ａ…遊技領域、２…ガラス枠、３…皿部、４…発射レバー、５…センター部材、１０…アウト口、１１…可変入賞装置、１２…ゲート、１３…大入賞口、１４…普通入賞口、１５…風車、１６…普通図柄表示装置、３０…可動盤面部品、３１…ベース部材、３１ａ…基片、３１ｂ…水平片、３１ｃ…垂下片、３２…上部ガイド部、３３…金属板材、３３ａ…縦板部、３３ｂ…庇片、３３ｃ…垂下片、３４…螺子、４０…下部ガイド部、４１…ガイドレール、５０…開閉部材、５０ａ…内側端縁、５１…ラックギヤ部材、５１ａ…ラックギヤ、５２…張出し片、５２ａ…長穴、５２ｂ…螺子穴、５４…突片、５５ａ…軸受部、６０…開閉部材、６１…ラックギヤ部材、６１ａ…ラックギヤ、６２ｂ…螺子穴、７０…ピニオンギヤ、７１…モータ、７２…中間ギヤ群、７５…螺子
【図１】
2012228363.tif 000003
【図２】
2012228363.tif 000004
【図３】
2012228363.tif 000005
【図４】
2012228363.tif 000006
【図５】
2012228363.tif 000007
【図６】
2012228363.tif 000008
【図７】
2012228363.tif 000009
【図８】
2012228363.tif 000010
【図９】
2012228363.tif 000011
【図１０】
2012228363.tif 000012
【図１１】
2012228363.tif 000013
【図１２】
2012228363.tif 000014
【図１３】
2012228363.tif 000015
【図１４】
2012228363.tif 000016